(57)【要約】【課題】意匠性の高い窓を簡単に構成することができる意匠フィルムと、この意匠フィルムを用いた窓、意匠フィルムの施工方法、建築物を提供する。【解決手段】意匠フィルム４０は、光透過性を備えた光制御層２１と、光制御層２１に直接又は間接的に積層された光透過性を備えた第１粘着層３０と、を備え、光制御層２１は、到達する光の少なくとも一部を反射する平面状に構成された反射面２１ｂ，２１ｃを有する単位形状２１ａと、単位形状２１ａが規則的に配置された第１反射領域４１と、単位形状２１ａと同一形状又は異なる形状の単位形状２１ａが第１反射領域４１とは異なる方向を向いて規則的に配置された第２反射領域４２とを備える。【選択図】図１
2018124316.tif 000002
【特許請求の範囲】
【請求項１】
光透過性を備えた光制御層と、
前記光制御層に直接又は間接的に積層された光透過性を備えた第１粘着層と、
を備え、
前記光制御層は、
到達する光の少なくとも一部を反射する平面状に構成された反射面を有する単位形状と、
前記単位形状が規則的に配置された第１反射領域と、
を備え、
前記単位形状と同一形状又は異なる形状の単位形状が前記第１反射領域とは異なる方向を向いて規則的に配置された第２反射領域を少なくとも１種類備える意匠フィルム。
【請求項２】
前記単位形状は、フィルム面に直交する特定の方向の断面形状が同一形状を維持してフィルム面に直交かつ前記特定の方向に直交する方向においてフィルム面に沿って延在していること、
を特徴とする請求項１に記載の意匠フィルム。
【請求項３】
前記単位形状は、等間隔で並べて配置されており、
前記単位形状が並ぶピッチは、１μｍ以上であること、
を特徴とする請求項１又は請求項２に記載の意匠フィルム。
【請求項４】
前記光制御層と前記第１粘着層との間にあって、前記第１粘着層と直接積層された光透光性を備えた基材層と、
前記基材層の前記光制御層側に形成され、光透光性を備え、かつ、有機化合物、又は、無機化合物のみ、又は、有機化合物と無機化合物との混合物で構成された印刷層と、
前記印刷層と前記光制御層との間に積層された第２粘着層とを備えること、
を特徴とする請求項１から請求項３までのいずれか１項に記載の意匠フィルム。
【請求項５】
前記印刷層は、平面視において、前記第１反射領域及び前記第２反射領域の形状に対応した印刷パターンを有していること、
を特徴とする請求項４に記載の意匠フィルム。
【請求項６】
第１空間と第２空間との間において前記第１空間と前記第２空間に向けて開口した開口部に設置される窓であって、
少なくとも１枚の窓部材と、
請求項１から請求項５までのいずれか１項に記載の意匠フィルムと、
を備えた窓。
【請求項７】
前記窓部材は、前記第１空間側の第１面及び前記２空間側の第２面を有し、
前記意匠フィルムが、前記窓部材の前記第１面又は前記第２面の少なくとも一方に配置された、
請求項６に記載の窓。
【請求項８】
前記窓は、前記窓部材を複数枚有し、
少なくとも２枚の前記窓部材が中間膜の接着により一体化された、
請求項６に記載の窓。
【請求項９】
前記窓は、前記窓部材を複数枚有し、
少なくとも１組の前記窓部材が密閉された空間を挟んでいる、
請求項６に記載の窓。
【請求項１０】
第１空間と第２空間との間において前記第１空間と前記第２空間に向けて開口した開口部に設置される二重窓として構成された窓であって、
第１の窓部材を有する第１窓と、
第２の窓部材を有し、前記第１窓よりも前記第２空間側に配置された第２窓と、を備え、
前記第１窓及び第２窓が、空気層を介して配置され、
請求項１から請求項５までのいずれか１項に記載の意匠フィルムが、前記第１窓又は前記第２窓の少なくとも一方に配置された窓。
【請求項１１】
前記窓は、透明ガラス、光拡散ガラス、光反射ガラス又は光吸収ガラスを備える、
請求項６から請求項１０までのいずれか１項に記載の窓。
【請求項１２】
前記窓は、前記意匠フィルムが配置される側と反対側に光機能性層が配置された、
請求項６から請求項１１までのいずれか１項に記載の窓。
【請求項１３】
前記窓は、前記意匠フィルムが配置された側に光機能性層が配置された、
請求項６から請求項１１までのいずれか１項に記載の窓。
【請求項１４】
前記窓は、前記意匠フィルムを複数備え、
複数の前記意匠フィルムが、前記窓の少なくとも一方の側に並べて配置された、
請求項６から請求項１３までのいずれか１項に記載の窓。
【請求項１５】
複数の前記意匠フィルムは、前記窓が前記開口部に設置された状態において、鉛直方向又は水平方向の少なくとも一方向に沿って、前記窓の少なくとも一方の側に並べて配置された、
請求項１４に記載の窓。
【請求項１６】
複数の前記意匠フィルムが配置された側又は反対側に、少なくとも複数の前記意匠フィルムが配置された領域を覆う大きさを有する前記意匠フィルムが配置された、
請求項１４又は請求項１５に記載の窓。
【請求項１７】
複数の前記意匠フィルムのうち、少なくとも１枚の前記意匠フィルムの意匠が、他の前記意匠フィルムの意匠と異なる、
請求項１４から請求項１６までのいずれか１項に記載の窓。
【請求項１８】
複数の前記意匠フィルムのうち、少なくとも１枚の前記意匠フィルムは、前記窓の中央域に配置された他の前記意匠フィルムを囲むように配置され、
少なくとも１枚の前記意匠フィルムの意匠が、他の前記意匠フィルムの意匠と異なる、
請求項１４から請求項１６までのいずれか１項に記載の窓。
【請求項１９】
前記意匠フィルムが、前記窓部材の一領域に配置され、前記一領域を除いた他の領域は、前記窓部材の面である、
請求項６又は請求項７に記載の窓。
【請求項２０】
前記意匠フィルムが、前記窓部材の中央域に配置され、前記中央域を除いた他の領域は、前記窓部材の面である、
請求項６又は請求項７に記載の窓。
【請求項２１】
前記窓の前記第１空間側に配置された前記意匠フィルムの意匠が、前記第２空間側に配置された前記意匠フィルムの意匠と異なる、
請求項６から請求項１８までのいずれか１項に記載の窓。
【請求項２２】
前記意匠フィルムが、帯電防止機能を有する、
請求項６から請求項２１までのいずれか１項に記載の窓。
【請求項２３】
請求項６から請求項２２までのいずれか１項に記載された意匠フィルムの施工方法であって、
前記意匠フィルムを、前記窓の前記第１空間側又は前記第２空間側の少なくとも一方に配置する工程を備える、
意匠フィルムの施工方法。
【請求項２４】
請求項６から請求項２２までのいずれか１項に記載の窓と、
第１空間と第２空間との間において前記第１空間と前記第２空間に向けて開口した開口部を有し、前記開口部に前記窓が設置された壁と、
を備えた建築物。
【発明の詳細な説明】
【技術分野】
【０００１】
本発明は、意匠フィルム、窓、意匠フィルムの施工方法、建築物に関するものである。
【背景技術】
【０００２】
建築物の窓においては、省エネルギー化、快適性向上を背景として、遮熱効果、断熱効果、遮音効果、安全性の確保等を達成するための技術が各種提案されている。
しかし、窓については、上述したような機能性に加えて、より高品位な意匠性の高いものが要求されている。例えば、特許文献１では、被塗物に金属顔料を有する塗料を塗布して半硬化させ、その半硬化塗膜に光反射の異方性を生じさせるエンボス加工を行った後塗膜を硬化させ、場合によりさらにクリヤー塗膜を形成して硬化させる方法により、金属様光沢を有し、光反射の異方性を生じる意匠性塗膜を作成する技術が開示されている。
【先行技術文献】
【特許文献】
【０００３】
【特許文献１】特開２００７−１４９１１号公報
【発明の概要】
【発明が解決しようとする課題】
【０００４】
しかし、金属顔料を有する塗料を用いると、金属が光を遮断してしまうので、窓に用いる場合に不都合な場合が多かった。また、金属が電波を遮断してしまうので、通信機器の利用に悪影響が生じる場合があった。さらに、特許文献１の技術は、塗膜に関するものであり、塗装工程が必要であることから、例えば、設置済の窓にあとから施工することが事実上不可能であった。
【０００５】
本発明の課題は、意匠性の高い窓を簡単に構成することができる意匠フィルムと、この意匠フィルムを用いた窓、意匠フィルムの施工方法、建築物を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、光透過性を備えた光制御層（２１）と、前記光制御層（２１）に直接又は間接的に積層された光透過性を備えた第１粘着層（３０）と、を備え、前記光制御層（２１）は、到達する光の少なくとも一部を反射する平面状に構成された反射面（２１ｂ，２１ｃ，２１ｄ）を有する単位形状（２１ａ）と、前記単位形状（２１ａ）が規則的に配置された第１反射領域（４１）と、を備え、前記単位形状（２１ａ）と同一形状又は異なる形状の単位形状（２１ａ）が前記第１反射領域（４１）とは異なる方向を向いて規則的に配置された第２反射領域（４２，４３，４４，４５，４６，４７）を少なくとも１種類備える意匠フィルム（４０）である。
【０００８】
第２の発明は、前記単位形状（２１ａ）は、フィルム面に直交する特定の方向の断面形状が同一形状を維持してフィルム面に直交かつ前記特定の方向に直交する方向においてフィルム面に沿って延在していること、を特徴とする第１の発明に記載の意匠フィルム（４０）である。
【０００９】
第３の発明は、前記単位形状（２１ａ）は、等間隔で並べて配置されており、前記単位形状（２１ａ）が並ぶピッチは、１μｍ以上であること、を特徴とする第１の発明又は第２の発明に記載の意匠フィルム（４０）である。
【００１０】
第４の発明は、前記光制御層（２１）と前記第１粘着層（３０）との間にあって、前記第１粘着層（３０）と直接積層された光透光性を備えた基材層（２２）と、前記基材層（２２）の前記光制御層（２１）側に形成され、光透光性を備え、かつ、有機化合物、又は、無機化合物のみ、又は、有機化合物と無機化合物との混合物で構成された印刷層（２３，２３ａ，２３ｂ）と、前記印刷層（２３，２３ａ，２３ｂ）と前記光制御層（２１）との間に積層された第２粘着層（２４）とを備えること、を特徴とする第１の発明から第３の発明までのいずれかに記載の意匠フィルム（４０）である。
【００１１】
第５の発明は、前記印刷層（２３，２３ａ，２３ｂ）は、平面視において、前記第１反射領域（４１）及び前記第２反射領域（４２，４３，４４，４５，４６，４７）の形状に対応した印刷パターンを有していること、を特徴とする第４の発明に記載の意匠フィルム（４０）である。
【００１２】
第６の発明は、第１空間と第２空間との間において前記第１空間と前記第２空間に向けて開口した開口部に設置される窓（１）であって、少なくとも１枚の窓部材（１０，１１，１２，１１０，２１０）と、第１の発明から第５の発明までのいずれかに記載の意匠フィルム（４０）と、を備えた窓（１）である。
【００１３】
第７の発明は、前記窓部材（１０，１１，１２，１１０，２１０）は、前記第１空間側の第１面（ｓ１）及び前記２空間側の第２面（ｓ２）を有し、前記意匠フィルム（４０）が、前記窓部材（１０，１１，１２，１１０，２１０）の前記第１面（ｓ１）又は前記第２面（ｓ２）の少なくとも一方に配置された、第６の発明に記載の窓（１）である。
【００１４】
第８の発明は、前記窓（１Ａ）は、前記窓部材（１１，１２）を複数枚有し、少なくとも２枚の前記窓部材（１１，１２）が中間膜（１３）の接着により一体化された、第６の発明に記載の窓（１Ａ）である。
【００１５】
第９の発明は、前記窓（１Ｂ）は、前記窓部材（１１，１２）を複数枚有し、少なくとも１組の前記窓部材（１１，１２）が密閉された空間（１４）を挟んでいる、第６の発明に記載の窓（１Ｂ）である。
【００１６】
第１０の発明は、第１空間と第２空間との間において前記第１空間と前記第２空間に向けて開口した開口部に設置される二重窓として構成された窓（１Ｃ）であって、第１の窓部材（１１）を有する第１窓（１Ｃ−１）と、第２の窓部材（１２）を有し、前記第１窓（１Ｃ−１）よりも前記第２空間側に配置された第２窓（１Ｃ−２）と、を備え、前記第１窓（１Ｃ−１）及び第２窓（１Ｃ−２）が、空気層（１５）を介して配置され、第１の発明から第５の発明までのいずれかに記載の意匠フィルム（４０）が、前記第１窓（１Ｃ−１）又は前記第２窓（１Ｃ−２）の少なくとも一方に配置された窓（１Ｃ）である。
【００１７】
第１１の発明は、前記窓（１）は、透明ガラス、光拡散ガラス、光反射ガラス又は光吸収ガラスを備える、請求項６から請求項１０までのいずれか１項に記載の窓（１）である。
【００１８】
第１２の発明は、前記窓（１Ｄ，１Ｅ）は、前記意匠フィルム（４０）が配置される側と反対側に光機能性層（５０，６０）が配置された、第６の発明から第１１の発明までのいずれかに記載の窓（１Ｄ，１Ｅ）である。
【００１９】
第１３の発明は、前記窓（１）は、前記意匠フィルム（４０）が配置された側に光機能性層（５０，６０）が配置された、第６の発明から第１１の発明までのいずれかに記載の窓（１）である。
【００２０】
第１４の発明は、前記窓（１Ｆ）は、前記意匠フィルム（４０ａ，４０ｂ，４０ｃ，４０ｄ，４０ｅ，４０ｆ）を複数備え、複数の前記意匠フィルム（４０ａ，４０ｂ，４０ｃ，４０ｄ，４０ｅ，４０ｆ）が、前記窓（１）の少なくとも一方の側に並べて配置された、第６の発明から第１３の発明までのいずれかに記載の窓（１Ｆ）である。
【００２１】
第１５の発明は、複数の前記意匠フィルム（４０ａ，４０ｂ，４０ｃ，４０ｄ，４０ｅ，４０ｆ）は、前記窓（１Ｆ）が前記開口部に設置された状態において、鉛直方向又は水平方向の少なくとも一方向に沿って、前記窓（１Ｆ）の少なくとも一方の側に並べて配置された、第１４の発明に記載の窓（１Ｆ）である。
【００２２】
第１６の発明は、複数の前記意匠フィルム（４０ａ，４０ｂ，４０ｃ，４０ｄ，４０ｅ，４０ｆ）が配置された側又は反対側に、少なくとも複数の前記意匠フィルム（４０ａ，４０ｂ，４０ｃ，４０ｄ，４０ｅ，４０ｆ）が配置された領域を覆う大きさを有する前記意匠フィルム（４０ｇ）が配置された、第１４の発明又は第１５の発明に記載の窓（１）である。
【００２３】
第１７の発明は、複数の前記意匠フィルム（４０）のうち、少なくとも１枚の前記意匠フィルム（４０）の意匠が、他の前記意匠フィルム（４０）の意匠と異なる、第１４の発明から第１６の発明までのいずれかに記載の窓（１）である。
【００２４】
第１８の発明は、複数の前記意匠フィルム（４０ｈ，４０ｊ，４０ｋ，４０ｍ）のうち、少なくとも１枚の前記意匠フィルム（４０ｊ，４０ｍ）は、前記窓（１Ｇ）の中央域に配置された他の前記意匠フィルム（４０ｈ，４０ｋ）を囲むように配置され、少なくとも１枚の前記意匠フィルム（４０ｊ，４０ｍ）の意匠が、他の前記意匠フィルム（４０ｈ，４０ｋ）の意匠と異なる、第１４の発明から第１６の発明までのいずれかに記載の窓（１Ｇ）である。
【００２５】
第１９の発明は、前記意匠フィルム（４０）が、前記窓部材（１０，１１，１２，１１０，２１０）の一領域に配置され、前記一領域を除いた他の領域は、前記窓部材（１０，１１，１２，１１０，２１０）の面である、第６の発明又は第７の発明に記載の窓（１）である。
【００２６】
第２０の発明は、前記意匠フィルム（４０）が、前記窓部材（１０，１１，１２，１１０，２１０）の中央域に配置され、前記中央域を除いた他の領域は、前記窓部材（１０，１１，１２，１１０，２１０）の面である、第６の発明又は第７の発明に記載の窓（１）である。
【００２７】
第２１の発明は、前記窓（１）の前記第１空間側に配置された前記意匠フィルム（４０）の意匠が、前記第２空間側に配置された前記意匠フィルム（４０）の意匠と異なる、第６の発明から第１８の発明までのいずれかに記載の窓（１）である。
【００２８】
第２２の発明は、前記意匠フィルム（４０）が、帯電防止機能を有する、第６の発明から第２１の発明までのいずれか１項に記載の窓（１）である。
【００２９】
第２３の発明は、第６の発明から第２２の発明までのいずれかに記載された意匠フィルム（４０）の施工方法であって、前記意匠フィルム（４０）を、前記窓（１）の前記第１空間側又は前記第２空間側の少なくとも一方に配置する工程を備える、意匠フィルム（４０）の施工方法である。
【００３０】
第２４の発明は、第６の発明から第２２の発明までのいずれか１項に記載の窓（１）と、第１空間と第２空間との間において前記第１空間と前記第２空間に向けて開口した開口部を有し、前記開口部に前記窓（１）が設置された壁（３）と、を備えた建築物（４）である。
【発明の効果】
【００３１】
本発明によれば、意匠性の高い窓を簡単に構成することができる意匠フィルムと、この意匠フィルムを用いた窓、意匠フィルムの施工方法、建築物を提供することができる。
【図面の簡単な説明】
【００３２】
【図１】本発明による意匠フィルム４０の第１実施形態の表面を平面視で示す図である。
【図２】図１中の矢印Ａ−Ａの位置で第１実施形態の意匠フィルム４０を切断した断面図である。
【図３】本発明による意匠フィルム４０の第２実施形態の表面を平面視で示す図である。
【図４】図３中の矢印Ｂ−Ｂの位置で第２実施形態の意匠フィルム４０を切断した断面図である。
【図５】第３実施形態の意匠フィルム４０をフィルム面に直交し、かつ、単位形状２１ａの延在方向に直交する面で切断した断面図である。
【図６】第４実施形態の意匠フィルム４０をフィルム面に直交し、かつ、単位形状２１ａの延在方向に直交する面で切断した断面図である。
【図７】第５実施形態の意匠フィルム４０をフィルム面に直交し、かつ、単位形状２１ａの延在方向に直交する面で切断した断面図である。
【図８】第６実施形態の意匠フィルム４０をフィルム面に直交し、かつ、単位形状２１ａの延在方向に直交する面で切断した断面図である。
【図９】第７実施形態の意匠フィルム４０をフィルム面に直交し、かつ、単位形状２１ａの延在方向に直交する面で切断した断面図である。
【図１０】第８実施形態の意匠フィルム４０をフィルム面に直交し、かつ、単位形状２１ａの延在方向に直交する面で切断した断面図である。
【図１１】第９実施形態の意匠フィルム４０の表面を平面視で示す図である。
【図１２】第１０実施形態の意匠フィルム４０の表面を平面視で示す図である。
【図１３】第１１実施形態の意匠フィルム４０の表面を平面視で示す図である。
【図１４】第１２実施形態の意匠フィルム４０の表面を平面視で示す図である。
【図１５】窓の第１実施形態の窓１及び窓１が設置された建築物４を説明する図である。
【図１６】意匠フィルム４０を窓１へ貼り付ける状態を示す図である。
【図１７】窓の第１実施形態における窓１の構成を説明する図である。
【図１８】窓の第２実施形態における窓１Ａの第１〜第３の構成を説明する図である。
【図１９】窓の第３実施形態の窓１Ｂの構成を説明する図である。
【図２０】窓の第４実施形態の窓１Ｃの構成を説明する図である。
【図２１】窓の第５実施形態における窓１Ｄの第１及び第２の構成を説明する図である。
【図２２】窓の第６実施形態における窓１Ｅの第１及び第２の構成を説明する図である。
【図２３】窓の第７実施形態における窓１Ｆの第１の構成を説明する図である。
【図２４】窓の第７実施形態における窓１Ｆの第２の構成を説明する図である。
【図２５】窓の第７実施形態における窓１Ｆの第３の構成を説明する図である。
【図２６】窓の第８実施形態における窓１Ｇの第１及び第２の構成を説明する図である。
【発明を実施するための形態】
【００３３】
以下、本発明を実施するための最良の形態について図面等を参照して説明する。
以下の説明では、先ず、意匠フィルム４０単体での実施形態を「意匠フィルムの実施形態」として複数形態説明し、その後に、この意匠フィルム４０を窓に用いた実施形態を「窓の実施形態」として複数形態説明する。
【００３４】
（意匠フィルムの実施形態）
先ず、本発明の意匠フィルムの実施形態を説明する。
（意匠フィルムの第１実施形態）
図１は、本発明による意匠フィルム４０の第１実施形態の表面を平面視で示す図である。
図２は、図１中の矢印Ａ−Ａの位置で第１実施形態の意匠フィルム４０を切断した断面図である。
なお、図１及び図２を含め、以下に示す各図は、模式的に示した図であり、各部の大きさ、形状は、理解を容易にするために、適宜誇張して示している。また、各図においては、部材の断面を示すハッチングを省略する。
また、以下の説明では、具体的な数値、形状、材料等を示して説明を行うが、これらは、適宜変更することができる。
本明細書において、形状や幾何学的条件を特定する用語、例えば、平行や直交、方向、側等については、その用語の厳密な意味に加えて、同様の光学的機能を奏し、平行や直交と見なせる程度の誤差を有する状態、及び、概ねその方向及び側とみなせる範囲を含む。
本明細書において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、フィルム面とは、各フィルムにおいて、そのフィルム全体として見たときにおける、フィルムの平面方向となる面を示すものであるとする。なお、板面、シート面に関しても同様であるとする。
また、本発明において透明とは、少なくとも利用する波長の光を透過するものをいう。例えば、仮に可視光を透過しないものであっても、赤外線を透過するものであれば、赤外線用途に用いる場合においては、透明として取り扱うものとする。
【００３５】
意匠フィルム４０は、例えば窓等の貼り付け対象物に対して貼り付けられて、外観を良好にすることを主な目的として用いられるものである。
意匠フィルム４０は、例えば、長尺の帯状に形成されており、一端側をロール状に巻き取った形状等として供給される。図１では、意匠フィルム４０の一部を平面視として示している。なお、意匠フィルム４０は、フィルム状、又は、シート状であればよく、帯状に限らず、枚葉の形態となっていてもよい。
意匠フィルムの第１実施形態における意匠フィルム４０は、図２に示すように、意匠フィルム本体２０と、第１粘着層３０とが積層されて構成されている。
【００３６】
意匠フィルムの第１実施形態では、意匠フィルム本体２０は、光制御層２１のみにより構成されている。なお、光制御層２１に基材を別途積層した形態としてもよい。
光制御層２１は、光透過性を備えた樹脂により形成されている。光制御層２１に用いる樹脂としては、例えば、紫外線硬化性樹脂、可視光線硬化性樹脂、近赤外線硬化性樹脂、熱硬化性樹脂、熱可塑性樹脂等を用いることができる。中でも汎用性、光透過性の観点から熱可塑性樹脂が好ましい。さらには熱可塑性樹脂の中でも、難燃性の観点から塩化ビニル樹脂が好ましい。
光制御層２１は、単位形状２１ａを備えている。以下、単位形状２１ａが突出する側を表側、その反対側を裏側と便宜上呼ぶこととする。
【００３７】
単位形状２１ａは、図２の断面形状が２等辺三角形形状に形成されて、表側へ突出しており、表側から到達する光の少なくとも一部を反射する平面状に構成された反射面２１ｂ、２１ｃを有している。そして、この単位形状２１ａが間を空けずに密接して多数が規則的に配置されている。具体的には、単位形状２１ａは、意匠フィルム４０のフィルム面に直交する方向の図２に示す断面形状が同一形状を維持してフィルム面に直交かつ図２の断面方向に直交する方向、すなわち、図２の紙面奥行き方向においてフィルム面に沿って延在している。また、単位形状２１ａが並ぶピッチＰは、１μｍ以上であることが望ましい。ピッチＰが１μｍ未満となると、製造の難易度が上がり、コストアップを招いたり、回折現象の影響が大きくなることによる悪影響が生じたりするからである。本実施形態ではピッチＰ＝２００μｍとなっている。
【００３８】
図１では、紙面の上下方向に帯状に意匠フィルム４０が延在しているものとして、単位形状２１ａが延在している向きを斜線として表している。図１に示すように、第１実施形態の意匠フィルム４０には、単位形状２１ａの配置状態が異なる４種類の領域が設けられている。ここでは、これらの領域を、第１反射領域４１と、第２反射領域４２と、第３反射領域４３と、第４反射領域４４として説明する。
【００３９】
第１反射領域４１は、意匠フィルム４０の幅方向（図１における左右方向）に対して、θ４１＝−３０度分傾斜した向きに単位形状２１ａが延在している。ここで、θ４１＝−３０度分傾斜した向きとは、意匠フィルム４０の幅方向（図１における左右方向）を基準の０度の方向として、右回り方向に回転する向きを＋とし、左回り方向に回転する向きを−として示しており、以下の説明についても同様である。
【００４０】
第２反射領域４２は、意匠フィルム４０の幅方向に対して、θ４２＝＋３０度分傾斜した向きに単位形状２１ａが延在している領域であって、第１反射領域４１に幅方向で並んだ位置に配置されている。
【００４１】
第３反射領域４３は、意匠フィルム４０の幅方向に対して、θ４３＝＋３０度分傾斜した向きに単位形状２１ａが延在している領域であって、第１反射領域４１に意匠フィルム４０の長手方向で並んだ位置に配置されている。よって、第３反射領域４３における単位形状２１ａの延在方向は、第２反射領域４２における単位形状２１ａの延在方向と同じである。
【００４２】
第４反射領域４４は、意匠フィルム４０の幅方向に対して、θ４４＝−３０度分傾斜した向きに単位形状２１ａが延在している領域であって、第２反射領域４２に意匠フィルム４０の長手方向で並んだ位置に配置されている。よって、第４反射領域４４における単位形状２１ａの延在方向は、第１反射領域４１における単位形状２１ａの延在方向と同じである。
【００４３】
なお、本実施形態を含み、各実施形態において、反射領域に第１、第２、第３、第４等と番号を付けて呼んでいるが、これらの番号には、特別な意味合いがあるのではなく、単に他の領域と区別するための番号付けである。したがって、例えば、第３反射領域４３を第１反射領域と呼び、第４反射領域４４を第２反射領域と呼んでもよい。すなわち、本実施形態の第３反射領域４３及び第４反射領域は、本願請求項における第２反射領域の単位形状の向きがさらに異なる態様と捉えることができる。よって、本実施形態では、単位形状の向きが異なる第２反射領域が合計３種類配置されていると捉えることができる。
また、上述の単位形状２１ａの延在方向を示すθ４１、θ４２、θ４３、θ４４の具体的な数値は、単なる一例であって、これらは適宜可能であり、また、後述する窓への貼り付け時の向きを限定するものではない。
【００４４】
第１粘着層３０は、意匠フィルム本体２０を例えば、後述するガラス１０に固定するための層である。第１粘着層３０は、光制御層２１に直接積層されており、光透過性を備えた粘着材により構成されている。第１粘着層３０として用いる粘着材は、意匠フィルム本体２０と後述するガラス１０等の貼り付け対象物との間を透過する光の屈折及び反射による損失を抑制するため、これらの層と同等の屈折率を有する材料を用いることが望ましい。第１粘着層３０としては、例えば、ウレタンアクリレート樹脂、エポキシアクリレート樹脂、アクリル系粘着剤、シリコン系粘着剤等の光透過性の高い材料が用いられる。また、意匠フィルム本体２０に到達する紫外線により、意匠フィルム本体２０が劣化することを抑制する目的で、第１粘着層３０に紫外線吸収剤を含めてもよい。
【００４５】
なお、後述するガラス１０等に貼り付けられる前の意匠フィルム４０には、剥離紙（不図示）が貼り付けられている。剥離紙は、意匠フィルム４０の裏側、すなわち、第１粘着層３０の光制御層２１とは反対側の面に貼り付けられる。剥離紙は、紙片等の基材（不図示）の片面に剥離層を形成したものである。この剥離層は、例えば、基材にシリコン樹脂を含む溶剤を塗布した後、硬化させることにより形成することができる。意匠フィルム４０は、剥離紙が付いた積層体の状態で保管、輸送等を行うことができる。
【００４６】
以上説明したように、意匠フィルムの第１実施形態では、単位形状２１ａに反射面２１ｂ、２１ｃを有している。この反射面２１ｂ、２１ｃは、表側から到達する光の少なくとも一部を反射する平面状に構成されている。そして、単位形状２１ａが第１反射領域４１と、第２反射領域４２と、第３反射領域４３と、第４反射領域４４とのそれぞれにおいて、規則的に配列されていることから、表側からこれらの領域に到達する光は、金属表面における反射と同様に細長い線状に近い反射面それぞれからの反射光がある程度まとまって観察され、金属表面の質感を備えた意匠となり、美しく意匠性の高いものとなる。また、領域によって単位形状２１ａが延在する方向を変えているので、光を反射する可能性が高くなり、様々な条件下において意匠フィルム４０の表面での反射光を観察可能である。
【００４７】
また、光制御層２１及び第１粘着層３０は、金属を含まず、かつ、いずれも光透過性を備えているので、意匠フィルム４０を窓等の透明部分に貼り付けた場合に、反射光と透過光との両方を観察することができ、従来にはない特有な美しい外観となる。
さらに、意匠フィルム４０は、金属を含んでいないことから、電波を遮断する事がなく、通信機器の利用に悪影響を与えることもない。
さらにまた、意匠フィルム４０は、金属を含んでいないことから、錆が発生することがなく、屋外に意匠フィルム４０を配置した場合であっても、耐久性が高く、長期にわたって美しい意匠を示すことができる。
【００４８】
（意匠フィルムの第２実施形態）
図３は、本発明による意匠フィルム４０の第２実施形態の表面を平面視で示す図である。
図４は、図３中の矢印Ｂ−Ｂの位置で第２実施形態の意匠フィルム４０を切断した断面図である。
なお、意匠フィルムの第２実施形態以降の説明において、前述した第１実施形態と同様の機能を果たす部分には、同一の符号を付して、重複する説明を適宜省略する。
【００４９】
意匠フィルムの第２実施形態の意匠フィルム４０では、第１反射領域４１と、第２反射領域４２との２つの反射領域が、意匠フィルム４０の長手方向に並んで配置されている。
第１反射領域４１は、意匠フィルム４０の幅方向（図３における左右方向）に対して、θ４１＝−３０度分傾斜した向きに単位形状２１ａが延在している。
第２反射領域４２は、意匠フィルム４０の幅方向に対して、θ４２＝＋３０度分傾斜した向きに単位形状２１ａが延在している領域であって、第１反射領域４１に幅方向で並んだ位置に配置されている。
【００５０】
図４に示すように、意匠フィルムの第２実施形態の意匠フィルム４０では、光制御層２１と第１粘着層３０の他に、基材層２２と、印刷層２３と、第２粘着層２４とを備えている。意匠フィルム本体２０は、基材層２２と、印刷層２３と、第２粘着層２４と、光制御層２１とが、この順番で積層されて構成されている。
基材層２２は、光制御層２１と第１粘着層３０との間にあって、第１粘着層３０と直接積層されている。基材層２２は、光透光性を備えたフィルム状の部材である。基材層２２に用いる材料としては、例えば、ポリエチレンテレフタレート（ＰＥＴ）等のポリエステル樹脂、アクリル樹脂、スチレン樹脂、アクリルスチレン樹脂、ポリカーボネート樹脂、脂環式ポリオレフィン樹脂等の光透過性の高い材料を用いることができる。また、意匠フィルム４０を安価に提供するために、ＰＥＴを採用してもよい。基材層２２の厚みは、一般的には５〜１３０μｍであり、耐久性、取り扱い性等を考慮すると、１０〜１００μｍが好ましい。
【００５１】
印刷層２３は、基材層２２の光制御層２１側に印刷により形成されている。印刷層２３は、金属を含まないインキにより形成されている。印刷層２３に用いるインキとしては、例えば、有機化合物、又は、無機化合物のみ、又は、有機化合物と無機化合物との混合物で構成されたインキを用いるとよい。また、印刷層２３は、光透光性を備える形態に形成されている。印刷層２３に光透光性をもたせるために、印刷層２３をベタ状に印刷を行う場合には透光性を有するインキを用いるとよい。また、印刷層２３に透光性が不十分なインキを用いる場合には、例えば、網点状の印刷としたり、印刷パターンに光を透過する部分を設けたりするとよい。
【００５２】
第２粘着層２４は、印刷層２３と光制御層２１との間に積層されており、印刷層２３が形成された基材層２２と光制御層２１とを接合している。第２粘着層２４に用いる粘着材も、透光性を備えるものとする必要があり、第１粘着層３０と同様な粘着材を用いることができる。
【００５３】
また、図４に示すように、意匠フィルムの第２実施形態の意匠フィルム４０では、単位形状２１ａの断面形状が、第１実施形態とは異なる形状となっている。第２実施形態の意匠フィルム４０では、単位形状２１ａの断面形状が、三角形形状であるが、第１実施形態とは形状が異なる。単位形状２１ａの反射面２１ｂは、フィルム面に対して傾斜して構成されているが、反射面２１ｃは、フィルム面に対して垂直な面として構成されている。
【００５４】
意匠フィルムの第２実施形態の意匠フィルム４０では、印刷層２３を設けたので、より多彩な表現（意匠）を形成することができる。また、印刷層２３が透光性を備えているので、窓等の光透過性を備えた部位に用いることができる。
【００５５】
（意匠フィルムの第３実施形態）
図５は、第３実施形態の意匠フィルム４０をフィルム面に直交し、かつ、単位形状２１ａの延在方向に直交する面で切断した断面図である。
第３実施形態の意匠フィルム４０では、印刷層２３を、２層の印刷層２３ａ、２３ｂにより構成している点が、第２実施形態と異なる。印刷層２３ａは、基材層２２の上に最初に印刷形成される層である。印刷層２３ｂは、印刷層２３ａを形成した後に形成される層である。印刷層２３ａ及び印刷層２３ｂのいずれも、全面に形成されておらず、部分的に形成されていない領域が存在している。そして、印刷層２３ａ、２３ｂの印刷パターンは、第１反射領域４１及び第２反射領域４２の形状に対応した印刷パターンとなっている。したがって、場所により、意匠フィルム４０を通過する光の見え方が大きく変化する。
【００５６】
また、第３実施形態の意匠フィルム４０では、単位形状２１ａの形状が第１実施形態及び第２実施形態と異なっている。第３実施形態の単位形状２１ａは、図５に示す断面形状が略矩形に構成されており、頂部に設けられた反射面２１ｂが、フィルム面に対して傾斜している。
【００５７】
さらに、第３実施形態の意匠フィルム４０では、光制御層２１に、単位形状２１ａを配置しない平坦部２１ｐを設けている。この平坦部２１ｐを設けたことにより、印刷層２３による変化に加えて、さらに、意匠フィルム４０を通過する光の見え方が場所により大きく変化する。図５に示した例では、範囲Ｐ１、Ｐ２、Ｐ３、Ｐ４、Ｐ５、Ｐ６のそれぞれにおいて、見え方が異なる。よって、第３実施形態の意匠フィルム４０では、より変化に富んだ意匠性の高い表現が可能である。
【００５８】
単位形状２１ａの形状（断面形状）については、上述した実施形態の他にも適宜変更が可能である。以下、単位形状２１ａの形状を変更した実施形態を例示する。
【００５９】
（意匠フィルムの第４実施形態）
図６は、第４実施形態の意匠フィルム４０をフィルム面に直交し、かつ、単位形状２１ａの延在方向に直交する面で切断した断面図である。
第４実施形態の意匠フィルム４０は、第２実施形態の場合と同様な形状の単位形状２１ａを、間隔を空けて配置した形態である。
【００６０】
（意匠フィルムの第５実施形態）
図７は、第５実施形態の意匠フィルム４０をフィルム面に直交し、かつ、単位形状２１ａの延在方向に直交する面で切断した断面図である。
第５実施形態の意匠フィルム４０は、断面形状が台形形状の単位形状２１ａを、間隔を空けて配置した形態である。単位形状２１ａは、フィルム面に平行な反射面２１ｂと、フィルム面に対して傾斜した反射面２１ｃ、２１ｄの３つの反射面を備えている。
【００６１】
（意匠フィルムの第６実施形態）
図８は、第６実施形態の意匠フィルム４０をフィルム面に直交し、かつ、単位形状２１ａの延在方向に直交する面で切断した断面図である。
第６実施形態の意匠フィルム４０は、断面形状が矩形形状の単位形状２１ａを、間隔を空けて配置した形態である。単位形状２１ａは、フィルム面に平行な反射面２１ｂを備えている。なお、本実施形態では、フィルム面に対して垂直な単位形状２１ａの側面部分については、隣接する単位形状２１ａの影となる部分が大きいので、積極的に反射面として捉えていないが、特定の条件下では、反射面として機能する。これは、他の実施形態におけるフィルム面に対して垂直な面についても同様である。
【００６２】
（意匠フィルムの第７実施形態）
図９は、第７実施形態の意匠フィルム４０をフィルム面に直交し、かつ、単位形状２１ａの延在方向に直交する面で切断した断面図である。
第７実施形態の意匠フィルム４０は、断面形状が矩形形状の一部をカットした五角形の単位形状２１ａを、間隔を空けて配置した形態である。単位形状２１ａは、フィルム面に平行な反射面２１ｂと、フィルム面に対して傾斜した反射面２１ｃとを備えている。
【００６３】
（意匠フィルムの第８実施形態）
図１０は、第８実施形態の意匠フィルム４０をフィルム面に直交し、かつ、単位形状２１ａの延在方向に直交する面で切断した断面図である。
第８実施形態の意匠フィルム４０は、基本的には、第１実施形態と同様な構成であるが、単位形状２１ａの先端部の稜線にＲ形状を設けている点が、第１実施形態と異なっている。このように、単位形状２１ａの稜線部分にＲを付けて丸めることにより、意匠フィルム４０の貼り付け作業時に、表面の滑りを良好にすることができ、作業性が向上する。また、尖った部分がなくなるので、耐久性も向上する。なお、このようなＲを付けて丸める形態ではなく、面取り形状としてもよく、他の実施形態の稜線部分について同様なＲ等を設けてもよい。
【００６４】
上述した意匠フィルムの第４実施形態から第８実施形態のように、単位形状２１ａの形状を適宜変更しても、第１実施形態から第３実施形態と同様に、美しい意匠を提供できる。
【００６５】
また、単位形状２１ａの平面視における配置（反射領域）についても、上述の他にも適宜変更が可能である。以下、反射領域の形態を変更した実施形態を例示する。
【００６６】
（意匠フィルムの第９実施形態）
図１１は、第９実施形態の意匠フィルム４０の表面を平面視で示す図である。
第９実施形態の意匠フィルム４０には、単位形状２１ａの配置状態が異なる４種類の領域が設けられている。
【００６７】
第１反射領域４１は、意匠フィルム４０の幅方向（図１１における左右方向）に対して、θ４１＝＋３０度分傾斜した向きに単位形状２１ａが延在している。
【００６８】
第２反射領域４２は、意匠フィルム４０の幅方向に対して、θ４２＝−３０度分傾斜した向きに単位形状２１ａが延在している領域であって、第１反射領域４１に意匠フィルム４０の長手方向で並んだ位置に配置されている。
【００６９】
第３反射領域４３は、意匠フィルム４０の幅方向に対して、θ４３＝＋３０度分傾斜した向きに単位形状２１ａが延在している領域であって、第２反射領域４２に意匠フィルム４０の長手方向で並んだ位置に配置されている。よって、第３反射領域４３における単位形状２１ａの延在方向は、第１反射領域４１における単位形状２１ａの延在方向と同じである。
【００７０】
第４反射領域４４は、意匠フィルム４０の幅方向に対して、θ４４＝−３０度分傾斜した向きに単位形状２１ａが延在している領域であって、第３反射領域４３に意匠フィルム４０の長手方向で並んだ位置に配置されている。よって、第４反射領域４４における単位形状２１ａの延在方向は、第２反射領域４２における単位形状２１ａの延在方向と同じである。
【００７１】
（意匠フィルムの第１０実施形態）
図１２は、第１０実施形態の意匠フィルム４０の表面を平面視で示す図である。
第１０実施形態の意匠フィルム４０には、単位形状２１ａの配置状態が異なる４種類の領域が設けられている。
【００７２】
第１反射領域４１は、意匠フィルム４０の幅方向（図１２における左右方向）に対して、θ４１＝−３０度分傾斜した向きに単位形状２１ａが延在している。
【００７３】
第２反射領域４２は、意匠フィルム４０の幅方向に対して、θ４２＝＋３０度分傾斜した向きに単位形状２１ａが延在している領域であって、第１反射領域４１に意匠フィルム４０の幅方向で並んだ位置に配置されている。
【００７４】
第３反射領域４３は、意匠フィルム４０の幅方向に対して、θ４３＝−３０度分傾斜した向きに単位形状２１ａが延在している領域であって、第２反射領域４２に意匠フィルム４０の幅方向で並んだ位置に配置されている。よって、第３反射領域４３における単位形状２１ａの延在方向は、第１反射領域４１における単位形状２１ａの延在方向と同じである。
【００７５】
第４反射領域４４は、意匠フィルム４０の幅方向に対して、θ４４＝＋３０度分傾斜した向きに単位形状２１ａが延在している領域であって、第３反射領域４３に意匠フィルム４０の幅方向で並んだ位置に配置されている。よって、第４反射領域４４における単位形状２１ａの延在方向は、第２反射領域４２における単位形状２１ａの延在方向と同じである。
【００７６】
（意匠フィルムの第１１実施形態）
図１３は、第１１実施形態の意匠フィルム４０の表面を平面視で示す図である。
第１１実施形態の意匠フィルム４０には、単位形状２１ａの配置状態が異なる４種類の領域が設けられている。
【００７７】
第１反射領域４１は、意匠フィルム４０の幅方向（図１３における左右方向）に対して、θ４１＝＋２０度分傾斜した向きに単位形状２１ａが延在している。
【００７８】
第２反射領域４２は、意匠フィルム４０の幅方向に対して、θ４２＝−３０度分傾斜した向きに単位形状２１ａが延在している領域であって、第１反射領域４１に幅方向で並んだ位置に配置されている。
【００７９】
第３反射領域４３は、意匠フィルム４０の幅方向に対して、θ４３＝＋３０度分傾斜した向きに単位形状２１ａが延在している領域であって、第１反射領域４１に意匠フィルム４０の長手方向で並んだ位置に配置されている。
【００８０】
第４反射領域４４は、意匠フィルム４０の幅方向に対して、θ４４＝−２０度分傾斜した向きに単位形状２１ａが延在している領域であって、第２反射領域４２に意匠フィルム４０の長手方向で並んだ位置に配置されている。
【００８１】
（意匠フィルムの第１２実施形態）
図１４は、第１２実施形態の意匠フィルム４０の表面を平面視で示す図である。
第１１実施形態の意匠フィルム４０には、単位形状２１ａの配置状態が異なる７種類の領域が設けられている。
【００８２】
第１反射領域４１は、意匠フィルム４０の幅方向（図１３における左右方向）に対して、θ４１＝−３０度分傾斜した向きに単位形状２１ａが延在している。
【００８３】
第２反射領域４２は、意匠フィルム４０の幅方向に対して、θ４２＝＋１０度分傾斜した向きに単位形状２１ａが延在している。
【００８４】
第３反射領域４３は、意匠フィルム４０の幅方向に対して、θ４３＝＋１５度分傾斜した向きに単位形状２１ａが延在している。
【００８５】
第４反射領域４４は、意匠フィルム４０の幅方向に対して、θ４４＝＋３０度分傾斜した向きに単位形状２１ａが延在している。
【００８６】
第５反射領域４５は、意匠フィルム４０の幅方向に対して、θ４５＝＋２５度分傾斜した向きに単位形状２１ａが延在している。
【００８７】
第６反射領域４６は、意匠フィルム４０の幅方向に対して、θ４６＝＋２０度分傾斜した向きに単位形状２１ａが延在している。
【００８８】
第７反射領域４７は、意匠フィルム４０の幅方向に対して、θ４７＝＋１５度分傾斜した向きに単位形状２１ａが延在している。
【００８９】
なお、図１４へのθ４１からθ４７の図示は、かえって不明瞭になるため省略した。
第１反射領域４１から第７反射領域４７は、いずれも平面視が同一面積の六角形形状に形成されており、いわゆるハニカム配列に配列されている。
【００９０】
上述した意匠フィルムの第９実施形態から第１２実施形態のように、単位形状２１ａの平面視における配置（反射領域）について適宜変更しても、第１実施形態から第３実施形態と同様に、美しい外観を提供できる。
なお、意匠フィルムの第１実施形態から第１２実施形態は、適宜組み合わせて用いることもできるが、詳細な説明は省略する。
【００９１】
（窓の実施形態）
次に、上述した意匠フィルム４０を用いた窓の実施形態について説明する。なお、以下に説明する窓の実施形態において、意匠フィルム４０については、上述した意匠フィルムの第１実施形態〜意匠フィルムの第１２実施形態のいずれに示した意匠フィルム４０を用いてもよい。
【００９２】
以下に示す窓の実施形態のうち、一使用形態に即して説明する場合において、以下に説明する図面にはＸＹＺの直交座標系を記載した。この座標系は、意匠フィルムを窓ガラスに貼り付けた状態、すなわち、意匠フィルムを建築物に鉛直に配置した状態における上下（鉛直）方向をＹ方向、左右（水平）方向をＸ方向、厚み方向をＺ方向とする。ここで、上下方向（Ｙ方向）のうち、上側をＹ１側とし、下側をＹ２側とする。左右方向（Ｘ方向）のうち、右側をＸ１側とし、左側をＸ２側とする。厚さ方向（Ｚ方向）のうち、室内（第１空間）側をＺ１側とし、室外（第２空間）側をＺ２側とする。
【００９３】
（窓の第１実施形態）
図１５は、窓の第１実施形態の窓１及び窓１が設置された建築物４を説明する図である。図１５では、建築物４の一部を図示している。
図１６は、意匠フィルム４０を窓１へ貼り付ける状態を示す図である。
【００９４】
図１５に示すように、窓１は、壁３に設置されている。本実施形態の壁３は、住宅、オフィスビル等において、室内（第１空間）と室外（第２空間）との境に設けられた外壁である。壁３は、室内と室外との間において、室内と室外に向けて開口した開口部２を備えている。開口部２は、例えば窓枠である。本実施形態の窓１は、壁３に備えられた窓枠に設置されている。なお、壁３は、部屋と部屋との境又は部屋と廊下の境に設けられた内壁（間仕切り壁）等であってもよい。
【００９５】
図１６に示すように、窓１は、ガラス（窓部材）１０に対して第１粘着層３０を用いて意匠フィルム本体２０を貼り付けることにより構成されている。
以下の説明では、ガラス１０の室内側（Ｚ１側）の面を第１面ｓ１、室外側（Ｚ２側）の面を第２面ｓ２ともいう。窓の第２実施形態以降のガラス（１１０、２１０等）についても、第１面ｓ１、第２面ｓ２として説明する。
【００９６】
ガラス１０は、室内（Ｚ１側）と室外（Ｚ２側）とを区切る部材である。本実施形態のガラス１０は、例えば、石英ガラス、ソーダガラス等の透明なガラス材料により形成される単板ガラスである。
【００９７】
ガラス１０は、透明なガラスに限らず、型板ガラス、すりガラス等の光拡散性を有する光拡散ガラスでもよい。また、ガラス１０は、Ｌｏｗ−Ｅ膜、金属膜等を有する光反射ガラスでもよいし、着色ガラスのような一定範囲の波長の光を吸収する光吸収ガラスでもよい。このように、ガラス１０は、光透過性を有する部材であれば、どのような光学特性を備えていてもよい。後述する窓の第２実施形態〜窓の第８実施形態についても同じである。
【００９８】
意匠フィルム４０は、先に説明した意匠フィルムの第１実施形態〜第１２実施形態に示した意匠フィルム４０のうちのいずれであってもよい。
【００９９】
第１粘着層３０は、先に説明したように、意匠フィルム本体２０の一部を構成する層であって、意匠フィルム本体２０をガラス１０に固定するための層である
意匠フィルム４０の施工者は、貼り付けるガラス１０の大きさ、形状等に合わせて、ハサミ、カッター等により積層体を裁断する。そして、施工者は、積層体から剥離紙を剥がし、例えば、ガラス１０の室内側（Ｚ１側）の全面に貼り付けることにより、意匠フィルム４０をガラス１０に取り付けることができる。
なお、意匠フィルム４０において、光制御層２１の表面に、表面保護フィルムを貼り付けてもよい。表面保護フィルムを貼り付けることにより、保管、輸送時だけでなく、ガラス１０に意匠フィルム４０を貼り付ける際の引っ掻き傷の発生、指紋等の付着による汚れを抑制できる。
【０１００】
次に、窓の第１実施形態の窓１の構成（第１〜第３の構成）について説明する。
図１７は、窓の第１実施形態における窓１の構成を説明する図である。図１７（Ａ）は、窓１の第１の構成を説明する図である。図１７（Ｂ）は、窓１の第２の構成を説明する図である。図１７（Ｃ）は、窓１の第３の構成を説明する図である。
【０１０１】
窓の第１実施形態の窓１は、意匠フィルム４０が、ガラス１０の第１面ｓ１側又は第２面ｓ２の少なくとも一方に配置されている。
図１７（Ａ）に示すように、第１の構成の窓１は、ガラス１０の第１面ｓ１側に、意匠フィルム４０が配置されている。この構成は、図１６に示す窓１の構成と同じである。
図１７（Ｂ）に示すように、第２の構成の窓１は、ガラス１０の第２面ｓ２側に、意匠フィルム４０が配置されている。
図１７（Ｃ）に示すように、第３の構成の窓１は、ガラス１０の第１面ｓ１側及び第２面ｓ２側に、それぞれ意匠フィルム４０が配置されている。
【０１０２】
窓の第１実施形態のガラス１０として、透明なガラス、光吸収ガラスを用いた場合、意匠フィルム４０は、図１７（Ａ）〜（Ｃ）に示すいずれかの形態で配置できる。
【０１０３】
ガラス１０として、型板ガラス、すりガラス等の光拡散性を有する光拡散ガラスを用いた場合、意匠フィルム４０は、光拡散性を損なわないようにするため、平坦面側に配置することが好ましい。ガラス１０として、Ｌｏｗ−Ｅ膜、金属膜等の光反射ガラスを用いた場合、意匠フィルム４０は、光反射性を損なわないようにするため、未成膜側に配置することが好ましい。
【０１０４】
窓の第１実施形態の窓１によれば、ガラス１０の少なくとも一方に意匠フィルム４０が配置されているため、特に意匠フィルム４０（意匠フィルム４０）が配置されている側から見た時の意匠性を向上することができる。
【０１０５】
意匠フィルム４０が窓１の室内側に設けられている場合に、昼間、屋外からの光が窓１へ入射すると、単位形状２１ａによって光が回折したり、分光したりすることにより、虹色に意匠フィルム４０が観察される。
また、意匠フィルム４０が窓１の室内側に設けられている場合に、夜間は、屋外からの光がほとんど窓１へ入射しないので、屋内照明光が意匠フィルム４０の表面で反射して観察されて、金属調の意匠となる。
【０１０６】
一方、意匠フィルム４０が窓１の室内側に設けられている場合には、昼間に屋外から窓１を観察すると、屋外光が意匠フィルム４０の表面で反射して観察されて、金属調の意匠となる。
また、意匠フィルム４０が窓１の室内側に設けられている場合に、昼間に屋内から窓１を観察すると、屋外光が強いので、単位形状２１ａによって光が回折したり、分光したりすることにより、虹色に意匠フィルム４０が観察される。
さらに、意匠フィルム４０が窓１の室内側に設けられている場合に、夜間に屋外から窓１を観察すると、屋外の照明光等が意匠フィルム４０の表面で反射して観察されて、金属調の意匠となる。また、屋外から屋内の様子を見えなくする作用も有している。
【０１０７】
また、意匠フィルム４０は、断熱性を備えるため、窓１に入射した光の反射を抑制しつつ、窓１の室内側（Ｚ１側）において、結露の発生を抑制できる。
意匠フィルム４０は、第１粘着層３０を介してガラス１０に貼り付けられるため、外環境からの日射によりガラス１０の温度が上昇した場合でも、第１粘着層３０により意匠フィルム本体２０に対する一定の断熱効果が得られ、意匠フィルム本体２０の耐久性を高める効果が期待できる。
【０１０８】
意匠フィルム４０を窓１に施工する際、意匠フィルム４０が保護フィルムとしても機能するため、ガラス１０の表面に引っ掻き傷等が付いたり、汚れが付着したりすることを抑制できる。
ガラス１０の室外側（Ｚ２側）に意匠フィルム４０を配置した場合、風により運ばれてくる砂、埃、ゴミ等の異物によりガラス１０の表面に傷が付くことを抑制できるだけでなく、紫外線の影響を低減すると共に、雨、雪、ひょう、みぞれ等からガラス１０の表面を保護することができる。したがって、ガラス１０に意匠フィルム４０を配置することにより、窓１の耐久性、耐候性等をより高めることができる。
なお、上述した窓の第１実施形態の窓１により得られる効果は、後述する他の実施形態において共通する構成がある場合は、特に説明がない限りは、同様に得られる効果である。
【０１０９】
さらに、意匠フィルム４０がガラス１０に対して第１粘着層３０を介して貼り付けられているので、万が一にガラス１０が割れるような状況があった場合に、ガラスの破片が飛散することを防止する飛散防止の効果も期待できる。
【０１１０】
（窓の第２実施形態）
次に、窓の第２実施形態における窓１Ａの第１〜第３の構成について説明する。
窓の第２実施形態では、窓の第１実施形態と同様の機能を果たす構成要件（ガラス、粘着層等）には、同一の符号又は末尾（下２桁）に同一の符号を付して、重複する説明を適宜に省略する。
【０１１１】
図１８は、窓の第２実施形態における窓１Ａの第１〜第３の構成を説明する図である。図１８（Ａ）は、窓１Ａの第１の構成を説明する図である。図１８（Ｂ）は、窓１Ａの第２の構成を説明する図である。図１８（Ｃ）は、窓１Ａの第３の構成を説明する図である。
【０１１２】
図１８（Ａ）に示すように、窓の第２実施形態の窓１Ａにおいて、ガラス１１０は、第１の窓部材としての第１ガラス１１、第２の窓部材としての第２ガラス１２及び中間膜１３が積層された合わせガラスとして構成されている。第１ガラス１１と第２ガラス１２は、中間膜１３により接着され、ガラス１１０として一体化されている。ガラス１１０の構成は、第２及び第３の構成に共通である。
【０１１３】
図１８（Ａ）に示すように、第１の構成の窓１Ａは、第１ガラス１１の第１面ｓ１側に、意匠フィルム４０が配置されている。
図１８（Ｂ）に示すように、第２の構成の窓１Ａは、第２ガラス１２の第２面ｓ２側に、意匠フィルム４０が配置されている。
図１８（Ｃ）に示すように、第３の構成の窓１Ａは、第１ガラス１１の第１面ｓ１側及び第２ガラス１２の第２面ｓ２側に、それぞれ意匠フィルム４０が配置されている。
窓の第２実施形態の窓１Ａ（合わせガラス）によれば、上述した窓の第１実施形態の窓１と同様の効果を得ることができる。
【０１１４】
また、合わせガラスの場合、中間膜１３に紫外線吸収剤を含有させることにより、第１粘着層３０に含有させる紫外線吸収剤の量を通常よりも減らすことができる。
【０１１５】
（窓の第３実施形態）
次に、窓の第３実施形態における窓１Ｂの構成について説明する。
窓の第３実施形態では、窓の第１実施形態と同様の機能を果たす構成要件（ガラス、粘着層等）には、同一の符号又は末尾（下２桁）に同一の符号を付して、重複する説明を適宜に省略する。
【０１１６】
図１９は、窓の第３実施形態の窓１Ｂの構成を説明する図である。
図１９に示すように、窓の第３実施形態の窓１Ｂにおいて、ガラス２１０は、第１の窓部材としての第１ガラス１１と、第２の窓部材としての第２ガラス１２と、を備えている。ガラス２１０は、これら１組の第１ガラス１１及び第２ガラス１２が密閉空間１４を挟んで対向する複層ガラスとして構成されている。密閉空間１４の周囲は、スペーサー（不図示）により外部と仕切られている。密閉空間１４の内部には、空気、不活性ガス等が封入されている。
【０１１７】
ガラス２１０において、意匠フィルム４０は、第１ガラス１１の第１面ｓ１、第２ガラス１２の第２面ｓ２に配置される。図１９では、意匠フィルム４０は、第１ガラス１１又は第２ガラス１２の双方に配置した形態を示したが、一方のみに配置してもよい。
【０１１８】
また、ガラス２１０において、室外側（Ｚ２側）の第２ガラス１２の第１面ｓ１に、Ｌｏｗ−Ｅ膜（不図示）を配置した構成としてもよい。Ｌｏｗ−Ｅ膜は、太陽光等を反射する金属膜である。
【０１１９】
窓の第３実施形態の窓１Ｂ（複層ガラス）によれば、上述した窓の第１実施形態の窓１と同様の効果を得ることができる。
【０１２０】
（窓の第４実施形態）
次に、窓の第４実施形態における窓１Ｃの構成について説明する。
窓の第４実施形態では、窓の第１実施形態と同様の機能を果たす構成要件（ガラス、粘着層等）には、同一の符号を付して、重複する説明を適宜に省略する。
【０１２１】
図２０は、窓の第４実施形態の窓１Ｃの構成を説明する図である。
図２０に示すように、窓の第４実施形態の窓１Ｃは、第１窓の一例である内窓１Ｃ−１と、第２窓の一例である外窓１Ｃ−２と、を備えた二重窓として構成されている。
【０１２２】
内窓１Ｃ−１は、窓１Ｃにおいて、室内側（Ｚ１側）に配置された窓である。内窓１Ｃ−１は、第１の窓部材としての第１ガラス１１を備えている。
外窓１Ｃ−２は、内窓１Ｃ−１よりも室外側（Ｚ２側）に配置された窓である。外窓１Ｃ−２は、第１の窓部材としての第２ガラス１２を備えている。
内窓１Ｃ−１と外窓１Ｃ−２との間には、中空層１５が形成されている。中空層１５は、空気の層である。
【０１２３】
内窓１Ｃ−１と外窓１Ｃ−２は、中空層１５を間に挟んで、互いに相対移動可能に構成されている。なお、窓１Ｃ（二重窓）において、内窓１Ｃ−１と外窓１Ｃ−２は、相対位置が固定されていてもよいし、いずれか一方の窓が固定され、他方の窓が移動可能に構成されていてもよい。
【０１２４】
内窓１Ｃ−１おいて、意匠フィルム４０は、第１ガラス１１の第１面ｓ１又は第２面ｓ２に配置される。また、外窓１Ｃ−２において、意匠フィルム４０は、第２ガラス１２の第１面ｓ１又は第２面ｓ２に配置される。本実施形態において、意匠フィルム４０は、第１ガラス１１又は第２ガラス１２のいずれかにおいて、第１面ｓ１又は第２面ｓ２の少なくとも一面に配置されていればよい。図２０は、意匠フィルム４０を、上記各面に配置した例を示しているが、この例に限定されない。例えば、意匠フィルム４０を、第１ガラス１１（内窓１Ｃ−１）の第１面ｓ１のみに配置した構成としてもよい。
【０１２５】
さらに、上述した合わせガラスの場合と同様に、外窓１Ｃ−２に配置される意匠フィルム４０の第１粘着層３０に紫外線吸収剤を含有させて紫外線吸収機能を付与すれば、内窓１Ｃ−１に配置される意匠フィルム４０の第１粘着層３０に含有させる紫外線吸収剤の量を通常よりも減らすことができる。これによれば、最表面に近い界面での反射が抑制されるため、より高い反射抑制の効果を得ることができる。
その他、窓の第４実施形態の窓１Ｃ（二重窓）においても、窓の第１実施形態の窓１と同様の効果を得ることができる。
【０１２６】
（窓の第５実施形態）
次に、窓の第５実施形態における窓１Ｄの第１及び第２の構成について説明する。
窓の第５実施形態では、窓の第１実施形態と同様の機能を果たす構成要件（ガラス、粘着層等）には、同一の符号を付して、重複する説明を適宜に省略する。
【０１２７】
図２１は、窓の第５実施形態における窓１Ｄの第１及び第２の構成を説明する図である。図２１（Ａ）は、窓１Ｄの第１の構成を説明する図である。図２１（Ｂ）は、窓１Ｄの第２の構成を説明する図である。
【０１２８】
窓の第５実施形態の窓１Ｄは、意匠フィルム４０及び反射抑制フィルム５０が、ガラス１０の第１面ｓ１側又は第２面ｓ２の少なくとも一方に配置されている。
図２１（Ａ）に示すように、第１の構成の窓１Ｄは、ガラス１０の第１面ｓ１側に、光機能性層としての反射抑制フィルム５０が配置され、ガラス１０の第２面ｓ２側に、意匠フィルム４０が配置されている。反射抑制フィルム５０は、外来光の反射を抑制するフィルムである。
【０１２９】
第１の構成の窓１Ｄは、意匠フィルム４０が配置された側と反対側に反射抑制フィルム５０が配置される。そのため、第１の構成の窓１Ｄにおいて、ガラス１０の第１面ｓ１側に意匠フィルム４０が配置され、ガラス１０の第２面ｓ２側に反射抑制フィルム５０が配置される構成としてもよい。
【０１３０】
図２１（Ｂ）に示すように、第２の構成の窓１Ｄは、ガラス１０の第２面ｓ２側に反射抑制フィルム５０が配置され、その反射抑制フィルム５０の室外側（Ｚ２側）に意匠フィルム４０が配置されている。
【０１３１】
第２の構成の窓１Ｄは、意匠フィルム４０が配置された側に反射抑制フィルム５０が配置される。そのため、第１の構成の窓１Ｄは、ガラス１０の第１面ｓ１側に、意匠フィルム４０と反射抑制フィルム５０が配置される構成としてもよい。また、第２の構成の窓１Ｄにおいて、反射抑制フィルム５０と意匠フィルム４０を、逆に配置してもよい。
【０１３２】
窓の第５実施形態の窓１Ｄによれば、必要に応じて反射抑制フィルム５０のような光機能性層を追加することにより、反射抑制等の付加的機能をさらに追加することができる。
その他、窓の第５実施形態の窓１Ｄによれば、上述した窓の第１実施形態の窓１と同様の効果を得ることができる。
【０１３３】
（窓の第６実施形態）
次に、窓の第６実施形態における窓１Ｅの第１及び第２の構成について説明する。
窓の第６実施形態では、窓の第１実施形態と同様の機能を果たす構成要件（ガラス、粘着層等）には、同一の符号を付して、重複する説明を適宜に省略する。
【０１３４】
図２２は、窓の第６実施形態における窓１Ｅの第１及び第２の構成を説明する図である。図２２（Ａ）は、窓１Ｅの第１の構成を説明する図である。図２２（Ｂ）は、窓１Ｅの第２の構成を説明する図である。
窓の第６実施形態の窓１Ｅは、意匠フィルム４０及び遮熱フィルム６０が、ガラス１０の第１面ｓ１側又は第２面ｓ２の少なくとも一方に配置されている。
【０１３５】
図２２（Ａ）に示すように、第１の構成の窓１Ｅは、ガラス１０の第１面ｓ１側に、光機能性層としての遮熱フィルム６０が配置され、ガラス１０の第２面ｓ２側に、意匠フィルム４０が配置されている。遮熱フィルム６０は、室外から侵入する日射熱の量を、反射及び吸収効果により低減する機能を有するフィルムである。
【０１３６】
第１の構成の窓１Ｅは、意匠フィルム４０が配置された側と反対側に遮熱フィルム６０が配置される。そのため、第１の構成の窓１Ｅにおいて、ガラス１０の第１面ｓ１側に遮熱フィルム６０が配置され、ガラス１０の第２面ｓ２側に意匠フィルム４０が配置される構成としてもよい。
【０１３７】
図２２（Ｂ）に示すように、第２の構成の窓１Ｅは、ガラス１０の第２面ｓ２側に、遮熱フィルム６０が配置され、その遮熱フィルム６０の室外側（Ｚ２側）に、意匠フィルム４０が配置されている。
【０１３８】
第２の構成の窓１Ｅは、意匠フィルム４０が配置された側に遮熱フィルム６０が配置される。そのため、第２の構成の窓１Ｅにおいて、ガラス１０の第１面ｓ１側に遮熱フィルム６０と意匠フィルム４０が配置される構成としてもよい。
【０１３９】
窓の第６実施形態の窓１Ｅによれば、遮熱フィルム６０がガラス１０の第１面ｓ１側又は第２面ｓ２の少なくとも一方に配置されているため、室外から入る日射熱の量を抑制できる。また、遮熱フィルム６０が赤外線（ＩＲ）を反射する機能を有する場合には、フィルム構造上、可視光も一定量反射するため、意匠フィルム４０と併用することにより、室内に可視光を取り込みつつ、室外から入る日射熱の量を抑制できる。
【０１４０】
その他、窓の第６実施形態の窓１Ｅによれば、上述した窓の第１実施形態の窓１と同様の効果を得ることができる。
【０１４１】
なお、窓の第６実施形態では、光機能性層である遮熱フィルム６０を、ガラス１０の第１面ｓ１側又は第２面ｓ２の少なくとも一方に配置した例について説明したが、遮熱フィルム６０の代わりに、光機能性層として採光フィルム、光偏向フィルムを配置してもよい。採光フィルム、光偏向フィルムは、室外から入射する光を、反射及び屈折効果により偏向させて、室内に取り込む機能を有するフィルムである。これらのフィルムと意匠フィルム４０とを併用することにより、より多くの自然光を取り込めるようになるため、昼光のより高い導入効果を得ることができる上、多くの光を取り込むことによって意匠フィルム４０による意匠性をより高めることができる。
【０１４２】
また、採光フィルムは、フィルム構造上、ガラス１０に対して貼り付ける方向が制限されるため、ガラス１０が破損した場合に、破片の飛散を抑制する効果が低減することもありうる。しかし、意匠フィルム４０と併用することにより、昼光のより高い導入効果と、破片の飛散を抑制する効果の両方を得ることができる。
【０１４３】
（窓の第７実施形態）
次に、窓の第７実施形態における窓１Ｆの第１〜第３の構成について説明する。
窓の第７実施形態では、窓の第１実施形態と同様の機能を果たす構成要件（ガラス、粘着層等）には、同一の符号を付して、重複する説明を適宜に省略する。
【０１４４】
＜第１の構成＞
図２３は、窓の第７実施形態における窓１Ｆの第１の構成を説明する図である。図２３（Ａ）は、第１の構成の窓１Ｆを室外側（Ｚ２側）から見たときの正面図である。図２３（Ｂ）〜（Ｄ）は、第１の構成の窓１Ｆの各形態を上側（Ｙ１側）から見たときの側面図である。
【０１４５】
図２３（Ａ）に示すように、第１の構成の窓１Ｆは、ガラス１０の第２面ｓ２側に短冊形の意匠フィルム４０ａ〜４０ｃが上下方向（Ｙ方向）に沿って並べて配置されている。また、窓１Ｆは、図２３（Ｂ）に示すように、ガラス１０の第１面ｓ１側に、意匠フィルム４０ｄ〜４０ｆが配置されている。意匠フィルム４０ｄ〜４０ｆは、図２３（Ａ）に示す意匠フィルム４０ａ〜４０ｃと同様に短冊形であり、上下方向（Ｙ方向）に沿って並べて配置されている。
【０１４６】
意匠フィルム４０ａ〜４０ｃ及び４０ｄ〜４０ｆは、図２３（Ｂ）に示すように、フィルム間に隙間ｇ１，ｇ２が形成されるように配置してもよいし、隙間がないように配置してもよい。
【０１４７】
図２３（Ｂ）に示す形態において、ガラス１０の第１面ｓ１側に配置される意匠フィルム４０ｄ〜４０ｆと第２面ｓ２側に配置される意匠フィルム４０ａ〜４０ｃは、左右方向（Ｘ方向）の同じ位置に配置されている。そのため、本形態によれば、窓１Ｆの左右方向（Ｘ方向）において、フィルム間の隙間ｇ１，ｇ２は、それぞれ重なり合っている。
【０１４８】
図２３（Ｃ）は、第１の構成の別の形態を示している。図２３（Ｃ）に示す形態は、ガラス１０の第２面ｓ２側に配置された意匠フィルム４０ａ〜４０ｃに対して、ガラス１０の第１面ｓ１側に配置された意匠フィルム４０ｄ〜４０ｆの幅（Ｘ方向）が異なる。
【０１４９】
具体的には、ガラス１０の第１面ｓ１において、意匠フィルム４０ｄ，４０ｆの幅を広くし、意匠フィルム４０ｅの幅を狭くしている。フィルム間の隙間ｇ２は、第２面ｓ２側におけるフィルム間の隙間ｇ１と同じである。また、ガラス１０の第２面ｓ２側における意匠フィルム４０ａ〜４０ｃの配置は、図２３（Ｂ）の形態と同じである。本形態によれば、窓１Ｆの左右方向（Ｘ方向）において、フィルム間の隙間ｇ１，ｇ２が重なり合わないように構成できる。なお、ガラス１０の第１面ｓ１側に配置される意匠フィルム４０ｄ〜４０ｆを、後述する第２の構成（図２４（Ｃ））と同じ形態としてもよい。
【０１５０】
図２３（Ｄ）は、窓１Ｆのさらに別の形態を示している。図２３（Ｄ）に示す形態は、ガラス１０の第１面ｓ１側に、大判の意匠フィルム４０ｇが配置されている。ガラス１０の第１面ｓ１側に配置される意匠フィルム４０ｇは、第２面ｓ２に配置された意匠フィルム４０ａ〜４０ｃの領域を覆う程度の大きさを有する。ガラス１０の第２面ｓ２側における意匠フィルム４０ａ〜４０ｃの配置は、図２３（Ｂ）の形態と同じである。
なお、図２３（Ｂ），（Ｃ）の構成において、ガラス１０の第１面ｓ１又は第２面ｓ２の少なくとも一方に大判の意匠フィルム４０ｇをさらに重ねて配置した構成としてもよい。
【０１５１】
窓の第７実施形態の第１の構成の窓１Ｆは、複数の意匠フィルムが並べて配置されている。そのため、大判の意匠フィルムを貼り付ける場合に比べて、貼り付けを容易に行うことができる。特に、複数の意匠フィルムが上下方向に沿って並べて配置されるため、各意匠フィルムをより真っ直ぐ、かつ、均等に貼り付けることができる。また、意匠フィルムを複数枚に分けて貼り付けることにより、意匠フィルムが熱膨張したときに発生するシワを抑制できる。
【０１５２】
また、図２３（Ｂ）に示すように、複数の意匠フィルム４０ａ〜４０ｃをガラス１０の室外側（Ｚ２側）に配置した場合、雨等の水滴を、隙間ｇ１に沿って下側（Ｙ２側）に排出できる。また、図２３（Ｂ）に示すように、複数の意匠フィルム４０ｄ〜４０ｅをガラス１０の室内側（Ｚ１側）に配置した場合、結露による水滴を、隙間ｇ２に沿って下側（Ｙ２側）に排出できる。したがって、第１の構成の窓１Ｆによれば、室外側及び室内側における水はけ性を向上させることができる。
【０１５３】
また、複数の意匠フィルムを並べて貼り付けるため、大判の意匠フィルムを貼り付ける場合に比べて、ガラスとフィルムとの間に気泡、ゴミ等が入りにくい。また、気泡、ゴミ等が入っても、大判の意匠フィルムに比べて貼り直しが容易となる。
【０１５４】
本実施形態では、フィルム間に隙間ｇ１，ｇ２を形成した例を説明したが、これに限定されない。複数枚の意匠フィルムは、フィルム間に隙間が形成されないように配置してもよい。その場合も、フィルム間の継ぎ目に微少な隙間が生じるため、フィルム間の隙間を目立たなくしつつ、水はけ性を向上させることができる。
【０１５５】
第１の構成の窓１Ｆは、図２３（Ｃ）に示す形態において、意匠フィルム４０ａ〜４０ｃ及び４０ｄ〜４０ｆの隙間ｇ１，ｇ２が、それぞれ重なり合わないように配置されているため、隙間ｇ１，ｇ２を目立たなくすることができる。また、図２３（Ｃ）に示す形態は、隙間ｇ１，ｇ２が、それぞれ重なり合わないため、ガラス１０が破損した場合において、破片の飛散を抑制できる。
【０１５６】
第１の構成の窓１Ｆは、図２３（Ｄ）に示す形態において、ガラス１０の第１面ｓ１側に、大判の意匠フィルム４０ｄを配置されているため、フィルム間の隙間ｇ１を目立たなくしつつ、窓１Ｆが破損した場合において、破片の飛散をより効果的に抑制できる。
その他、第１の構成の窓１Ｆによれば、上述した窓の第１実施形態の窓１と同様の効果を得ることができる。
【０１５７】
＜第２の構成＞
図２４は、窓の第７実施形態における窓１Ｆの第２の構成を説明する図である。図２４（Ａ）は、第２の構成の窓１Ｆを室外側（Ｚ２側）から見たときの正面図である。図２４（Ｂ）〜（Ｄ）は、第２の構成の窓１Ｆの各形態を右側（Ｘ１側）から見たときの側面図である。
【０１５８】
図２４（Ａ）に示すように、第２の構成の窓１Ｆは、ガラス１０の第２面ｓ２側に短冊形の意匠フィルム４０ａ〜４０ｃが左右方向（Ｘ方向）に沿って並べて配置されている。また、第２の構成の窓１Ｆは、図２４（Ｂ）に示すように、ガラス１０の第１面ｓ１側に、意匠フィルム４０ｄ〜４０ｆが配置されている。意匠フィルム４０ｄ〜４０ｆは、図２４（Ａ）に示す意匠フィルム４０ａ〜４０ｃと同様に短冊形であり、左右方向に沿って並べて配置されている。
【０１５９】
意匠フィルム４０ａ〜４０ｃ及び４０ｄ〜４０ｆは、図２４（Ｂ）に示すように、フィルム間に隙間ｇ１，ｇ２が形成されるように配置してもよいし、隙間がないように配置してもよい。
【０１６０】
図２４（Ｂ）に示す形態において、ガラス１０の第１面ｓ１側に配置される意匠フィルム４０ｄ〜４０ｆと第２面ｓ２側に配置される意匠フィルム４０ａ〜４０ｃは、上下方向（Ｙ方向）の同じ位置に配置されている。そのため、本形態によれば、窓１Ｆの上下方向（Ｙ方向）において、フィルム間の隙間ｇ１，ｇ２は、それぞれ重なり合っている。
【０１６１】
図２４（Ｃ）は、第２の構成の窓１Ｆにおいて、別の形態を示している。図２４（Ｃ）に示す形態は、ガラス１０の第２面ｓ２側に配置された意匠フィルム４０ａ〜４０ｃに対して、ガラス１０の第１面ｓ１側における意匠フィルム４０ｄ〜４０ｆの配置される位置等が異なる。
【０１６２】
具体的には、ガラス１０の第１面ｓ１において、意匠フィルム４０ｄ，４０ｅを配置する位置を隙間ｇ２分だけ下側（Ｙ２側）にずらし、意匠フィルム４０ｆの幅（Ｙ方向）を隙間ｇ２分だけ狭くしている。フィルム間の隙間ｇ２は、第２面ｓ２側におけるフィルム間の隙間ｇ１と同じである。また、ガラス１０の第２面ｓ２側における意匠フィルム４０ａ〜４０ｃの配置は、図２４（Ｂ）の形態と同じである。本形態によれば、窓１Ｆの左右方向（Ｘ方向）において、フィルム間の隙間ｇ１，ｇ２が重なり合わないように構成できる。なお、ガラス１０の第１面ｓ１側に配置される意匠フィルム４０ｄ〜４０ｆを、上述した第１の構成（図２３（Ｃ））と同じ形態としてもよい。
【０１６３】
図２４（Ｄ）は、第２の構成の窓１Ｆにおいて、さらに別の形態を示している。図２４（Ｄ）に示す形態は、ガラス１０の第１面ｓ１側に、大判の意匠フィルム４０ｇが配置されている。ガラス１０の第１面ｓ１側に配置される意匠フィルム４０ｇは、第２面ｓ２に配置された意匠フィルム４０ａ〜４０ｃの領域を覆う程度の大きさを有する。ガラス１０の第２面ｓ２側における意匠フィルム４０ａ〜４０ｃの配置は、図２４（Ｂ）の形態と同じである。
なお、図２４（Ｂ）、（Ｃ）の形態において、ガラス１０の第１面ｓ１又は第２面ｓ２の少なくとも一方に大判の意匠フィルム４０ｇをさらに重ねて配置した構成としてもよい。
【０１６４】
窓の第７実施形態の第２の構成の窓１Ｆは、複数の意匠フィルムが左右方向に沿って並べて配置されている。そのため、ガラス１０のサイズが大きい場合に、意匠フィルムを上下方向に沿って貼り付ける第１の構成に比べて、意匠フィルムの長手方向の伸びによる幅の変動を抑制できる。
【０１６５】
また、意匠フィルムのほかに、短冊形の光機能性フィルムを複数枚貼り付ける場合、前述した採光フィルムのように、フィルムの特性によっては、ガラス１０に対して貼り付ける方向が制限され、左右方向にしか貼り付けできないこともある。その場合は、第２の構成のように、複数枚の採光フィルムを左右方向に沿って並べて貼り付けることにより、昼光の高い導入効果を損なうことなしに、複数枚の採光フィルムをガラス１０に容易に配置できる。
【０１６６】
第２の構成の窓１Ｆは、図２４（Ｃ）に示す形態において、意匠フィルム４０ａ〜４０ｃ及び４０ｄ〜４０ｆの隙間ｇ１，ｇ２が、それぞれ重なり合わないように配置されているため、隙間ｇ１，ｇ２を目立たなくすることができる。また、図２４（Ｃ）に示す形態は、隙間ｇ１，ｇ２が、それぞれ重なり合わないため、ガラス１０が破損した場合において、破片の飛散を抑制できる。
【０１６７】
第２の構成の窓１Ｆは、図２４（Ｄ）に示す形態において、ガラス１０の第１面ｓ１側に、大判の意匠フィルム４０ｄを配置されているため、フィルム間の隙間ｇ１を目立たなくしつつ、窓１Ｆが破損した場合において、破片の飛散をより効果的に抑制できる。
その他、第２の構成の窓１Ｆによれば、上述した窓の第１実施形態の窓１と同様の効果を得ることができる。
【０１６８】
なお、上述した窓１Ｆの第１及び第２の構成において、意匠フィルム４０ａ〜４０ｃは、ガラス１０の少なくとも一方の側に並べて配置される。すなわち、窓１Ｆの第１及び第２の構成において、意匠フィルム４０ａ〜４０ｃ及び４０ｄ〜４０ｆは、ガラス１０の第１面ｓ１又は第２面ｓ２のいずれか一方に配置されていればよい。
【０１６９】
＜第３の構成＞
図２５は、窓の第７実施形態における窓１Ｆの第３の構成を説明する図である。図２５（Ａ）は、第３の構成の窓１Ｆを室外側（Ｚ２側）から見たときの正面図である。図２５（Ｂ）は、第３の構成の窓１Ｆを室内（Ｚ１側）から見たときの正面図である。
【０１７０】
図２５（Ａ）に示すように、第３の構成の窓１Ｆは、ガラス１０の第２面ｓ２側に短冊形の意匠フィルム４０ａ〜４０ｃが上下方向（Ｙ方向）に沿って並べて配置されている。また、第３の構成の窓１Ｆは、図２５（Ｂ）に示すように、ガラス１０の第１面ｓ１側に短冊形の意匠フィルム４０ｄ〜４０ｆが左右方向（Ｘ方向）に沿って並べて配置されている。
【０１７１】
第３の構成の窓１Ｆにおいて、ガラス１０の第２面ｓ２側の意匠フィルム４０ａ〜４０ｃと、ガラス１０の第１面ｓ１側の意匠フィルム４０ｄ〜４０ｆは、互いに直交するように配置されている。そのため、ガラス１０が破損した場合において、破片の飛散を抑制できる。
【０１７２】
第３の構成の窓１Ｆにおいて、ガラス１０の両面に配置された意匠フィルムは、Ｙ−Ｘ平面において、そのほとんどが重なり合うため、隙間ｇ１，ｇ２は、意匠フィルムが重ならない僅かな部分のみとなる。そのため、第３の構成の窓１Ｆは、フィルム間の隙間ｇ１，ｇ２を目立たなくしつつ、窓１Ｆが破損した場合において、破片の飛散をより効果的に抑制できる。
その他、第３の構成の窓１Ｆによれば、上述した窓の第１実施形態の窓１と同様の効果を得ることができる。
【０１７３】
なお、第３の構成は、図２５に示す形態に限らず、例えば、ガラス１０の第２面ｓ２側において、意匠フィルム４０ａ〜４０ｃを左右方向（Ｘ方向）に沿って並べて配置し、ガラス１０第１面ｓ１側において、意匠フィルム４０ａ〜４０ｃを上下方向（Ｙ方向）に沿って並べて配置してもよい。
また、第３の構成において、ガラス１０の第１面ｓ１側又は第２面ｓ２側の少なくとも一方に、図２３（Ｄ）に示すような大判の意匠フィルム４０ｇをさらに重ねて配置してもよい。
【０１７４】
窓の第７実施形態の第１〜第３の構成において、意匠フィルム４０ａ〜４０ｃは、同じ意匠を有する意匠フィルムであってもよいし、異なる意匠を備えた意匠フィルムであってもよい。意匠フィルム４０ｄ〜４０ｆについても同じである。
【０１７５】
窓の第７実施形態の第１〜第３の構成において、意匠フィルム４０ａ〜４０ｃ及び４０ｄ〜４０ｆは、ガラス１０の全域に配置されていなくてもよい。すなわち、ガラス１０には、意匠フィルムが配置されていない領域があってもよい。
【０１７６】
窓の第７実施形態の第１〜第３の構成において、意匠フィルム４０ａ〜４０ｃ及び４０ｄ〜４０ｆの幅は、それぞれ同じでもよいし、異なっていてもよい。また、大判の意匠フィルム４０ｇを少なくとも一方の側に配置する形態において、意匠フィルム４０ｇの意匠は、他の意匠フィルム４０ａ〜４０ｃ又は４０ｄ〜４０ｆと同じでもよいし、異なっていてもよい。
【０１７７】
窓の第７実施形態の第１〜第３の構成においては、ガラス１０の第１面ｓ１又は第２面ｓ２に、３枚の意匠フィルム４０を配置する例について説明したが、これに限定されない。意匠フィルム４０は、２枚でもよいし、４枚以上であってもよい。また、ガラス１０の第１面ｓ１と第２面ｓ２において、配置される意匠フィルム４０の枚数が異なっていてもよい。
その他、窓の第７実施形態の窓１Ｆによれば、上述した窓の第１実施形態の窓１と同様の効果を得ることができる。
【０１７８】
（窓の第８実施形態）
次に、窓の第８実施形態における窓１Ｇの第１及び第２の構成について説明する。
窓の第８実施形態では、窓の第１実施形態と同様の機能を果たす構成要件（ガラス、粘着層等）には、同一の符号を付して、重複する説明を適宜に省略する。
【０１７９】
図２６は、窓の第８実施形態における窓１Ｇの第１及び第２の構成を説明する図である。図２６（Ａ）は、第１の構成の窓１Ｇを室外側（Ｚ２側）から見たときの正面図である。図２６（Ｂ）は、第２の構成の窓１Ｇを室外側（Ｚ２側）から見たときの正面図である。
【０１８０】
図２６（Ａ）に示すように、第１の構成の窓１Ｇは、ガラス１０（第２面ｓ２）の中央域に矩形状の意匠フィルム４０ｈが配置され、この意匠フィルム４０ｈの外周を囲むように、額縁形の意匠フィルム４０ｊが配置されている。
第１の構成の窓１Ｇにおいて、ガラス１０の外周域に配置された意匠フィルム４０ｊの意匠は、中央域に配置された意匠フィルム４０ｈの意匠とは異なるものとなっている。
【０１８１】
図２６（Ｂ）に示すように、第２の構成の窓１Ｇは、ガラス１０（第２面ｓ２）の中央域に楕円形状の意匠フィルム４０ｋが配置され、この意匠フィルム４０ｈの外周を囲むように、枠形の意匠フィルム４０ｍが配置されている。
第２の構成の窓１Ｇにおいても、ガラス１０の外周域に配置された意匠フィルム４０ｋの意匠は、中央域に配置された意匠フィルム４０ｍの意匠と異なる意匠となっている。
【０１８２】
その他、窓の第８実施形態の窓１Ｇによれば、上述した窓の第１実施形態の窓１と同様の効果を得ることができる。
【０１８３】
窓の第８実施形態では、ガラス１０の中央域と外周域にそれぞれ意匠フィルムを配置する例について説明したが、これに限定されない。意匠フィルムは、さらに複数あってもよい。例えば、図２６（Ａ）の二点鎖線で示すように、ガラス１０の中央域に配置された矩形状の意匠フィルムの外周を囲むように、額縁形の意匠フィルムを二重に配置してもよい。この場合、二重に配置した意匠フィルムの意匠についても、それぞれが異なる意匠とするとよい。
【０１８４】
窓の第８実施形態において、ガラス１０の中央域と外周域に配置されるそれぞれの意匠フィルムの形状は、図２６（Ａ），（Ｂ）に示した例に限らず、どのような形状であってもよい。また、ガラス１０の中央域と外周域に配置されるそれぞれの意匠フィルムは、複数の意匠フィルムで構成されていてもよい。
【０１８５】
窓の第８実施形態において、ガラス１０の中央域に意匠フィルムを未配置とし、外周域に意匠フィルムを配置してもよい。
【０１８６】
窓の第８実施形態において、ガラス１０の一方の面（例えば、第１面ｓ１）の中央域に意匠フィルム４０ｈ（４０ｋ）が配置され、ガラス１０の他方の面（第２面ｓ２）の外周域に意匠フィルム４０ｊ（４０ｍ）が配置される構成としてもよい。
また、窓の第８実施形態の第１及び第２の構成において、ガラス１０の第１面ｓ１側又は第２面ｓ２側の少なくとも一方に、図２３（Ｄ）に示すような大判の意匠フィルム４０ｇをさらに重ねて配置する構成としてもよい。
【０１８７】
以上、本発明の実施形態について説明したが、本発明は、前述した実施形態に限定されるものではなく、後述する変形形態のように種々の変形や変更が可能であって、それらも本発明の技術的範囲内である。実施形態に記載した効果は、本発明から生じる最も好適な効果を列挙したに過ぎず、実施形態に記載したものに限定されない。なお、上述の実施形態及び後述する変形形態は、適宜組み合わせて用いることもできるが、詳細な説明は省略する。また、変形形態では、各実施形態に共通な構成もあるため、部材名の符号を省略して説明する。
【０１８８】
（変形形態）
（１）実施形態では、ガラスの第１面ｓ１又は第２面ｓ２に少なくとも一方に意匠フィルムを配置する例について説明したが、これに限定されない。意匠フィルムを複数枚重ねて配置してもよい。
【０１８９】
（２）実施形態では、意匠フィルムを、短冊形、矩形状等とした例について説明したが、これに限定されない。意匠フィルムは、例えば、三角形、菱形、丸形状等であってもよい。例えば、三角形の意匠フィルムを複数組み合わせることにより、雨、結露等の水滴を特定の方向に集めて排出できる。また、例えば、意匠フィルムの単位形状の延在方向に沿った方向に意匠フィルムの端面を揃えてもよいし、反射領域の形状に合わせた形状に切断された意匠フィルムとしてもよい。
【０１９０】
（３）実施形態の窓において、室内（第１空間）側に配置された意匠フィルムの意匠は、室外（第２空間）側に配置された意匠フィルムの意匠と異なってもよい。
【０１９１】
（４）実施形態では、窓となるガラスを石英ガラス、ソーダガラス等の透明なガラス材料により形成する例について説明したが、これに限定されない。ガラスは、石英ガラス、ソーダガラス等のガラス材料に限らず、例えば、ポリカーボネート、アクリル樹脂等の高分子樹脂等であってもよい。例えば、接着性を有する材料でガラスを形成した場合は、粘着層を省略できるため、意匠フィルムをより軽くできる。また、ガラスに粘着層を形成する工程を省くことができるので、コストを低減しつつ、生産性を向上させることができる。
【０１９２】
（５）実施形態において、意匠フィルムを配置する対象は、住宅、オフィスビル等の窓に限らず、自動車、船舶、航空機、鉄道車両等に設置された窓であってもよいし、店舗等のショーウィンドウ、室内に設置されるパーティーション、美術館、博物館に用いられる展示用のショーケース等に用いられるガラスであってもよい。
【０１９３】
（６）実施形態において、意匠フィルムを平面状の窓に貼り付ける例を挙げて説明した。これに限らず、例えば、曲面ガラスの円筒面等、曲面に意匠フィルムを貼り付けてもよい。
【０１９４】
（７）実施形態において、意匠フィルムの単位形状は、同一の意匠フィルムにおいては断面形状が同一形状の単位形状が配置されている例を挙げて説明した。これに限らず、例えば、断面形状が異なる単位形状を配置してもよい。
【０１９５】
（８）実施形態において、意匠フィルムに、帯電防止機能を付与してもよい。
【符号の説明】
【０１９６】
１，１Ａ〜１Ｇ    窓
１Ｃ−１    内窓
１Ｃ−２    外窓
２      開口部
３      壁
４      建築物
１０，１１，１２，１１０，２１０    ガラス
１３    中間膜
１４    密閉空間
１５    中空層
２０    意匠フィルム本体
２１    光制御層
２１ａ  単位形状
２１ｂ  反射面
２１ｃ  反射面
２１ｄ  反射面
２１ｐ  平坦部
２２    基材層
２３    印刷層
２３ａ  印刷層
２３ｂ  印刷層
２４    第２粘着層
３０    第１粘着層
４０，４０ａ〜４０ｈ、４０ｊ，４０ｋ，４０ｍ    意匠フィルム
４１    第１反射領域
４２    第２反射領域
４３    第３反射領域
４４    第４反射領域
４５    第５反射領域
４６    第６反射領域
４７    第７反射領域
５０    反射抑制フィルム
６０    遮熱フィルム
【図１】
2018124316.tif 000003
【図２】
2018124316.tif 000004
【図３】
2018124316.tif 000005
【図４】
2018124316.tif 000006
【図５】
2018124316.tif 000007
【図６】
2018124316.tif 000008
【図７】
2018124316.tif 000009
【図８】
2018124316.tif 000010
【図９】
2018124316.tif 000011
【図１０】
2018124316.tif 000012
【図１１】
2018124316.tif 000013
【図１２】
2018124316.tif 000014
【図１３】
2018124316.tif 000015
【図１４】
2018124316.tif 000016
【図１５】
2018124316.tif 000017
【図１６】
2018124316.tif 000018
【図１７】
2018124316.tif 000019
【図１８】
2018124316.tif 000020
【図１９】
2018124316.tif 000021
【図２０】
2018124316.tif 000022
【図２１】
2018124316.tif 000023
【図２２】
2018124316.tif 000024
【図２３】
2018124316.tif 000025
【図２４】
2018124316.tif 000026
【図２５】
2018124316.tif 000027
【図２６】
2018124316.tif 000028